(57)【要約】無針コネクタキャップが、たとえばキャップが患者の喉と完全に同心である位置で誤って詰まり得る場合、キャップ周りに空気が通ることを可能にする１つまたは複数の通気孔を備える。キャップ外部を構成する構造要素の構成は、遮断されないままであり基部からキャップの上部側へ延び、キャップを空気が通過することを可能にする１つまたは複数の通気孔を形成するキャップ内の１つまたは複数の開口またはチャネルを提供することができる。
2020524578.tif 000002
【特許請求の範囲】
【請求項１】
第１の上部壁、
本質的に円筒形の第１の側壁、および
無針コネクタのハブを受け取るための内側ハウジング内の内側空洞への開口を有する前記第１の側壁によって形成された開いた底部を備える前記内側ハウジングと、
前記第１の側壁を本質的に囲むように構成された本質的に円筒形の第２の側壁を備える外側ハウジングと、
前記第１の側壁を前記第２の側壁に接続し、前記内側ハウジングと前記外側ハウジングとの間に延びる開いた空間を形成し、前記開いた空間を介して前記外側ハウジングと前記内側ハウジングとの間を空気が通ることを可能にする支持構造と
を備えるキャップ。
【請求項２】
前記内側ハウジング、前記外側ハウジング、および前記支持構造が一体形成される請求項１に記載のキャップ。
【請求項３】
前記支持構造は、前記第１の側壁の外側表面と前記第２の側壁の内側表面との間に少なくとも１つの突起を備える請求項１または２に記載のキャップ。
【請求項４】
前記少なくとも１つの突起は、前記第１の側壁の前記外側表面および前記第２の側壁の前記内側表面に対して本質的に直交する第１の垂直表面を備え、
前記突起は、前記第１の側壁によって形成された前記底部から前記第１の上部壁へ延びる請求項３に記載のキャップ。
【請求項５】
前記第１の側壁によって形成された前記開いた底部のリムの表面に取り付けられたとき前記内側空洞への前記開口を密封する剥離密封フィルムをさらに備える請求項１、２、３、または４のいずれか一項に記載のキャップ。
【請求項６】
前記剥離密封フィルムは、前記内側ハウジングと前記外側ハウジングとの間に延びる前記開いた空間を覆うことも遮断することもない請求項５に記載のキャップ。
【請求項７】
前記第１の上部壁の上方で構成された第３の上部壁であって、前記第３の上部壁を通って延び、前記内側ハウジングと前記外側ハウジングとの間に延びる前記開いた空間を通過する前記空気が外側ロックハウジングを通過することを可能にする少なくとも１つの開口を備える第３の上部壁、および
前記第２の側壁を本質的に囲むように構成された本質的に円筒形の第３の側壁
を備える前記外側ロックハウジングと、
前記第１の上部壁の外側表面上に構成された第１の部分、および
前記第３の上部壁の内側表面上に構成された第２の部分
を備える安全インターフェースとをさらに備え、
前記安全インターフェースは、前記第１の上部壁および前記第３の上部壁が互いに向かって付勢され前記第１の部分と前記第２の部分が係合するとき、前記外側ロックハウジングの回転運動を、同じ回転方向で前記内側ハウジングおよび前記外側ハウジングの回転運動に伝達する請求項１、２、３、４、５、または６のいずれか一項に記載のキャップ。
【請求項８】
前記安全インターフェースの前記第１の部分は、少なくとも１つの第１の突起を備え、
前記安全インターフェースの前記第２の部分は、少なくとも１つの第２の突起を備える請求項７に記載のキャップ。
【請求項９】
前記第１の突起は、前記第１の上部壁の前記外側表面に対して本質的に直交する第１の垂直表面と、前記第１の上部壁の前記外側表面に対して鋭角にある第１の傾斜表面とを備え、
前記第２の突起は、前記第２の上部壁の前記内側表面に対して本質的に直交する第２の垂直表面と、前記第２の上部壁の前記内側表面に対して鋭角にある第２の傾斜表面とを備える請求項８に記載のキャップ。
【請求項１０】
前記外側ハウジングおよび前記内側ハウジングの少なくとも１つは、第１の保持機構を備え、
前記外側ロックハウジングは、第２の保持機構を備え、
前記第１の保持機構および前記第２の保持機構は、前記安全インターフェースの前記第１の部分と前記安全インターフェースの前記第２の部分が係合されていないとき、前記外側ロックハウジングを前記内側ハウジングおよび前記外側ハウジングに対して固定し、前記内側ハウジングおよび前記外側ハウジングに対する前記外側ロックハウジングの回転運動を可能にするように係合されるように構成される請求項７、８、または９のいずれか一項に記載のキャップ。
【請求項１１】
前記第１の保持機構は、前記外側ハウジングの前記第２の側壁の外側表面上に突起を備え、
前記第２の保持機構は、前記外側ロックハウジングの前記第３の側壁の内側表面内に凹部を備え、
前記突起および前記凹部は、前記外側ロックハウジングを前記外側ハウジング上で固定するように係合するように構成される請求項１０に記載のキャップ。
【請求項１２】
前記第１の保持機構は、前記内側ハウジングの前記第１の上部壁の外側表面上に第１の係止突起を備え、
前記第２の保持機構は、前記外側ロックハウジングの前記第３の上部壁の内側表面上に第２の係止突起を備え、
前記第１の係止突起および前記第２の係止突起は、前記外側ロックハウジングを前記内側ハウジングおよび前記外側ハウジングに対して固定するように係止するように構成される請求項１０または１１に記載のキャップ。
【請求項１３】
前記内側空洞内に構成された消毒スポンジと、
前記キャップの使用前に前記スポンジを前記内側空洞内に密封するように前記内側空洞への前記開口を密封する取外し可能なカバーとをさらに備え、
前記キャップは、前記無針コネクタの前記かみ合い機構に対応しないキャップねじ山を備える請求項１、２、３、４、５、６、７、８、９、１０、１１、または１２のいずれか一項に記載のキャップ。
【請求項１４】
前記キャップねじ山の大径、小径、ピッチ、ねじ山断面プロファイル、およびねじ山の数のうちの少なくとも１つは、前記ハブの前記かみ合い機構に対応しない請求項１３に記載のキャップ。
【請求項１５】
前記側壁の内側側壁表面上の少なくとも１つのキャップねじ山は、前記無針コネクタの前記かみ合い機構とのインターロックを容易にするように、前記キャップねじ山の少なくとも一部分に形成された突起を備える請求項１３に記載のキャップ。
【請求項１６】
前記少なくとも１つのキャップねじ山の少なくとも一部分は、前記無針コネクタの前記かみ合い機構に係合しない非係合部分を備える請求項１３に記載のキャップ。
【請求項１７】
前記キャップねじ山は、
前記無針コネクタの前記かみ合い機構との前記インターロックを容易にするように、前記キャップねじ山の少なくとも一部分に形成された少なくとも１つのインターロック部分と、
前記無針コネクタの前記かみ合い機構に係合しない少なくとも１つの非係合部分とを備える請求項１３に記載のキャップ。
【請求項１８】
前記キャップねじ山は、
大プロファイル、小プロファイル、ピッチ、および第１のねじ山断面プロファイルを有する第１の開始ねじ山経路と、
大プロファイル、小プロファイル、ピッチ、および第２のねじ山断面プロファイルを有する少なくとも第２の開始ねじ山経路とを備え、
前記第１のねじ山断面プロファイルおよび前記第２のねじ山断面プロファイルが異なっている請求項１３に記載のキャップ。
【発明の詳細な説明】
【技術分野】
【０００１】
本発明は、例示的な実施形態としての医療消毒キャップを含む医療キャップの分野に関し、詳細には、ＩＶ無針コネクタと共に使用するためのキャップおよび／または消毒キャップに関する。
【背景技術】
【０００２】
関連出願の相互参照
本願は、その内容（それと共に出願されたすべての添付書面を含む）が全体として参照により本明細書に組み込まれる２０１７年６月２２日に出願された米国特許仮出願第６２／５２３，５０６号明細書からの３５米国特許法第１１９条（ｅ）項に基づく優先権を主張する。
【０００３】
発展した市場では、ＩＶカテーテルを使用するとき、典型的には、システムを閉じるために無針コネクタが使用され、次いでその後、カテーテルを介して患者にアクセスし、医薬品または他の必要な流体を投与することになる。使用されていない間、無針コネクタをしばらくの間閉じるための様々な従来のキャップが知られている。カテーテル関連の血流感染（ＣＲＢＳＩ）事例を低減するために、消毒キャップが特許文献１として発行された特許文献２に最初に開示され（その両方の開示全体が参照により本明細書に組み込まれる）市場に導入されている。特許文献１に開示されているものなど消毒キャップが本明細書における図１および図２に示されており、キャップ１は消毒パッド２および蓋３を含み、キャップ４は、消毒パッド５および蓋７と、その内周８上に無針コネクタハブとインターロックするためのねじ山６とを含む。一方、他の従来のキャップは、同様の機構を有するが、消毒パッドがないことがある。消毒キャップは、米国医療疫学学会（ＳＨＥＡ）ガイドラインに追加されており、近いうちにキャップもまた２０１６年輸液看護師基準（ＩＮＳ）ガイドラインに組み込まれることになりそうである。
【０００４】
消毒キャップのためのさらに改善された設計が、共に２０１７年１月１７日に出願された関連の米国特許出願第１５／４０８，２７８号明細書および米国特許出願第１５／４０８，１８７号明細書（その両方の開示全体が参照により本明細書に組み込まれる）に開示されている。
【０００５】
これらの製品は小児患者でますます使用されているので、今日市場にある消毒機構を有する、または有していないいくつかの従来のキャップは、たとえばそれらの比較的小さなサイズおよび無針コネクタからの外れやすさにより、小児患者の気道内で詰まる可能性がある。この種のインシデントは、シンシナティ大学による非特許文献１に記載の最近の研究において詳述されている。
【０００６】
子供が不注意でキャップを無針コネクタから外すのを防止するためにキャップをロックすることによって子供の安全に対処するための手法が、２０１８年４月１９日に出願された関連の米国特許出願第１５／９５７２０８号明細書（その開示全体が参照により本明細書に組み込まれる）に記載されている。
【０００７】
しかし、今日市場にある多数の現在のキャップ設計は、キャップが患者の気道内で詰まった場合キャップ周りに空気が通ることを可能にする機構を有していない。キャップが無針コネクタから外れ、または無針コネクタに取り付けられておらず、患者の喉内で詰まった場合、いくつかのそのような現在のキャップ設計は、気管を完全に密封し、患者が呼吸するのを妨げる可能性がある。すなわち、今日市場にある無針コネクタキャップの多数の設計は、空気が気管を容易に流通するのを可能にし得ず、看護師がキャップを患者の喉から外さなければならない時間を徹底的に低減し得ない。
【０００８】
したがって、キャップが無針コネクタから外された、または無針コネクタに取り付けられていないとき、子供の安全、および任意の年齢の患者の安全もまた対処されることを必要とする。
【先行技術文献】
【特許文献】
【０００９】
【特許文献１】米国特許第８，７４０，８６４号明細書
【特許文献２】米国特許出願公開第２００７／０１１２３３号明細書
【非特許文献】
【００１０】
【非特許文献１】“Ｔｈｅ  Ｄｉｓｉｎｆｅｃｔｉｏｎ  Ｃａｐ  ａｓ  Ｅｓｏｐｈａｇｅａｌ  Ｆｏｒｅｉｇｎ  Ｂｏｄｙ，”  Ｔａｗｆｉｋ  ｅｔ  ａｌ．  ２０１５
【発明の概要】
【課題を解決するための手段】
【００１１】
この説明で例示される主題は、本発明の例示的な実施形態を包括的に理解する助けとなるように提供されている。したがって、当業者なら、本明細書に記載の実施形態の様々な変更および修正が、本発明の範囲および精神から逸脱することなしになされ得ることを理解するであろう。また、周知の機能および構造の説明は、わかりやすく簡潔にするために省略される。
【００１２】
当業者には容易に理解されるように、本明細書を通して理解を容易にするために、「ロック」「穴」「先端（tip）」「ハブ」「ねじ山（thread）」「スポンジ」「突起」「傾斜」「壁」「上部（top）」「側」「リブ」など説明用語が、理解を容易にするために本明細書を通して使用されるが、本発明の実施形態の様々な態様を実施するために組合せで、または個々に使用することができるいかなる構成要素をも限定することは意図されていない。
【００１３】
本発明の例示的な実施形態は、幼児または子供の（または任意の年齢の患者の）喉内で詰まることがあるキャップによって気道が遮断されるリスクを低減することができる無針コネクタキャップを提供する。本発明の実施形態の例示的な実装では、無針コネクタキャップは、キャップが患者の喉と完全に同心である場合でさえキャップ周りに空気が通ることを可能にする１つまたは複数の通気孔（vent）を含む。
【００１４】
本発明の実施形態の例示的な実装によれば、キャップ外部を構成する構造要素の構成は、キャップの基部から上部側に延び、患者の喉内でキャップが気管と完全に同心である場合でさえキャップを空気が通過することを可能にする１つまたは複数の通気孔を形成するキャップ内の１つまたは複数の開口を含む。たとえば、外部通気孔は、キャップの外部を取り囲むように構成することができる。
【００１５】
本発明の実施形態のさらなる例示的な実装によれば、キャップの内壁周りの１つまたは複数の開口を、外部壁を介して保護することができ、外部壁は、開口が気管に接触しないように保つ、ならびに／または開口が周囲組織によって閉塞されないように、および／もしくは密封されないように保つことができる。
【００１６】
本発明の実施形態の例示的な実装によれば、キャップが、内側ハウジングを備え、内側ハウジングは、第１の上部壁と、本質的に円筒形の第１の側壁と、無針コネクタのハブを受け取るための内側ハウジング内の内側空洞への開口を有する第１の側壁によって形成された開いた底部とを備える。外側ハウジングは、前記第１の側壁を本質的に囲むように構成された本質的に円筒形の第２の側壁を備える。支持構造は、第１の側壁を第２の側壁に接続し、内側ハウジングと外側ハウジングとの間に延びる開いた空間を形成し、前記開いた空間を介して外側ハウジングと前記ハウジングとの間を空気が通ることを可能にする。
【００１７】
任意選択で、開示されている実施形態のいずれかの例示的な実装によれば、キャップロック機構を構成する構造要素の構成は、最適化することも変えることもでき、たとえば、内側ハウジング、外側ハウジング、および支持構造を一体形成することができる。
【００１８】
任意選択で、開示されている実施形態のいずれかのさらなる例示的な実装によれば、支持構造は、第１の側壁の外側表面と第２の側壁の内側表面との間に少なくとも１つの突起を備えることができる。
【００１９】
任意選択で、開示されている実施形態のいずれかのさらなる例示的な実装によれば、少なくとも１つの突起は、第１の側壁の外側表面および第２の側壁の内側表面に対して本質的に直交する第１の垂直表面を備えることができる。突起は、第１の側壁によって形成された底部から第１の上部壁へ延びることができる。
【００２０】
任意選択で、開示されている実施形態のいずれかのさらなる例示的な実装によれば、キャップは、第１の側壁によって形成された開いた底部のリムの表面に取り付けられたとき内側空洞への開口を密封する剥離密封フィルムを備えることができる。
【００２１】
任意選択で、開示されている実施形態のいずれかのさらなる例示的な実装によれば、剥離密封フィルムは、内側ハウジングと外側ハウジングとの間に延びる開いた空間を覆うことも遮断することもない。
【００２２】
任意選択で、開示されている実施形態のいずれかのさらなる例示的な実装によれば、キャップは、外側ロックハウジングを有することができ、外側ロックハウジングは、第１の上部壁の上方で構成された第３の上部壁であって、第３の上部壁を通って延び、内側ハウジングと外側ハウジングとの間に延びる開いた空間を通過する空気が外側ロックハウジングを通過することを可能にする少なくとも１つの開口を備える第３の上部壁と、第２の側壁を本質的に囲むように構成された本質的に円筒形の第３の側壁とを備える。キャップは、第１の上部壁の外側表面上に構成された第１の部分と、第３の上部壁の内側表面上に構成された第２の部分とを備える安全インターフェースをさらに有し、安全インターフェースは、第１の上部壁および第３の上部壁が互いに向かって付勢され第１の部分と第２の部分が係合するとき、外側ロックハウジングの回転運動を、同じ回転方向で内側ハウジングおよび外側ハウジングの回転運動に伝達する。
【００２３】
任意選択で、安全インターフェースを有する開示されている実施形態のさらなる例示的な実装によれば、安全インターフェースの第１の部分は、少なくとも１つの第１の突起を備え、安全インターフェースの第２の部分は、少なくとも１つの第２の突起を備える。任意選択で、前記第１の突起は、前記第１の上部壁の前記外側表面に対して本質的に直交する第１の垂直表面と、前記第１の上部壁の前記外側表面に対して鋭角にある第１の傾斜表面とを備え、第２の突起は、第２の上部壁の内側表面に対して本質的に直交する第２の垂直表面と、第２の上部壁の内側表面に対して鋭角にある第２の傾斜表面とを備える。
【００２４】
任意選択で、開示されている実施形態のいずれかのさらなる例示的な実装によれば、外側ハウジングおよび内側ハウジングの少なくとも１つは、第１の保持機構を備え、外側ロックハウジングは、第３の保持機構を備え、第１の保持機構および第２の保持機構は、安全インターフェースの第１の部分と安全インターフェースの第２の部分が係合されていないとき、外側ロックハウジングを内側ハウジングおよび外側ハウジングに対して固定し、内側ハウジングおよび外側ハウジングに対する外側ロックハウジングの回転運動を可能にするように係合されるように構成される。任意選択で、第１の保持機構は、外側ハウジングの第２の側壁の外側表面上に突起を備え、第２の保持機構は、外側ロックハウジングの第３の側壁の内側表面内に凹部を備え、突起および凹部は、外側ロックハウジングを外側ハウジング上で固定するように係合するように構成される。任意選択で、第１の保持機構は、前記内側ハウジングの第１の上部壁の外側表面上に第１の係止突起を備え、第２の保持機構は、外側ロックハウジングの第３の上部壁の内側表面上に第２の係止突起を備え、第１の係止突起および第２の係止突起は、外側ロックハウジングを内側ハウジングおよび外側ハウジングに対して固定するように係止するように構成される。
【００２５】
任意選択で、開示されている実施形態のいずれかのさらなる例示的な実装によれば、キャップの内側空洞内に構成された消毒スポンジ、および取外し可能なカバーが、キャップの使用前にスポンジを内側空洞内に密封するように内側空洞への開口を密封する。
【００２６】
任意選択で、開示されている実施形態のいずれかのさらなる例示的な実装によれば、キャップねじ山は、無針コネクタのかみ合い機構に対応しない。任意選択で、前記キャップねじ山の大径、小径、ピッチ、ねじ山断面プロファイル、およびねじ山の数のうちの少なくとも１つは、前記ハブの前記かみ合い機構に対応しない。任意選択で、側壁の内側側壁表面上の少なくとも１つのキャップねじ山は、無針コネクタのかみ合い機構とのインターロックを容易にするように、キャップねじ山の少なくとも一部分に形成された突起を備える。任意選択で、少なくとも１つのキャップねじ山の少なくとも一部分は、前記無針コネクタのかみ合い機構に係合しない非係合部分を備える。
【００２７】
任意選択で、開示されている実施形態のいずれかのさらなる例示的な実装によれば、キャップは、無針コネクタのかみ合い機構とのインターロックを容易にするように、キャップねじ山の少なくとも一部分に形成された少なくとも１つのインターロック部分と、無針コネクタのかみ合い機構に係合しない少なくとも１つの非係合部分とを有するねじ山を含む。
【００２８】
任意選択で、開示されている実施形態のいずれかのさらなる例示的な実装によれば、キャップは、第１の開始ねじ山経路が大プロファイル、小プロファイル、ピッチ、および第１のねじ山断面プロファイルを有するような第１の開始ねじ山経路と、第２の開始ねじ山経路が大プロファイル、小プロファイル、ピッチ、および第２のねじ山断面プロファイルを有するような少なくとも第２の開始ねじ山経路とを有し、第１のねじ山断面プロファイルおよび第２のねじ山断面プロファイルが異なっているねじ山を含む。
【図面の簡単な説明】
【００２９】
次に、同様の符号がいくつかの図を通して同様の、または対応する部分を指定する図面を参照して、本発明の実施形態が以下のように示されている。
【００３０】
【図１】無針コネクタ用の従来のキャップの断面図である。
【図２】無針コネクタ用の従来のキャップの断面図である。
【図３Ａ】本開示の例示的な実施形態によるキャップの立体図である。
【図３Ｂ】本開示の例示的な実施形態によるキャップの断面を含む等角側面図である。
【図３Ｃ】本開示の例示的な実施形態によるキャップの断面図である。
【図３Ｄ】本開示の例示的な実施形態によるキャップの上面図である。
【図４Ａ】無針コネクタなど医療実装物上に配置された本開示の別の例示的な実施形態によるキャップの立体側面図である。
【図４Ｂ】無針コネクタなど医療実装物上の本開示の例示的な実施形態によるキャップの断面図である。
【図５Ａ】本開示の実施形態の別の例示的な実装によるキャップの断面図である。
【図５Ｂ】本開示の実施形態の別の例示的な実装によるキャップの上面図である。
【図６Ａ】本開示の実施形態の別の例示的な実装によるキャップの断面図である。
【図６Ｂ】本開示の実施形態の別の例示的な実装によるキャップの断面図である。
【図７】本開示の実施形態の別の例示的な実装によるキャップの断面図である。
【発明を実施するための形態】
【００３１】
この説明で例示される主題は、添付の図面の図を参照して例示的な実施形態を包括的に理解する助けとなるように提供されている。したがって、当業者なら、本明細書に記載の例示的な実施形態の様々な変更および修正が、添付の特許請求の範囲内で、それらの完全な範囲および均等物から逸脱することなしになされ得ることを理解するであろう。また、周知の機能および構造の説明は、わかりやすく簡潔にするために省略される。同様に、本開示の文脈において使用されるいくつかの命名規則、ラベル、および用語は、限定的なものではなく、例示的な実施形態の例示的な実装の理解を容易にするための例示的な目的で提供されているにすぎない。
【００３２】
本発明の例示的な実施形態による３Ｄ図、等角側面図、断面図または側面図、および上面図をそれぞれ示す図３Ａ〜図３Ｄに示されているように、通気孔機構を有する子供安全キャップ１０は、側壁２６を含む外側ハウジング２０と、上部壁３２、および内側空洞３８内への開口３７を有する側壁３６を含む内側ハウジング３０とを備える。内側ハウジング３０は、側壁２６が側壁３６を本質的に囲み、上部壁３２が本質的に露出されたままであるように外側ハウジング２０内に配置される。本発明の実施形態の例示的な実装では、外側ハウジング２０は、内側ハウジング３０に支持構造４０によって接続され得、外側ハウジング２０と内側ハウジング３０との間に、キャップ１０が患者の喉内で気管と完全に同心である場合でさえ空気１０００が内側ハウジング３０周り、外側ハウジング２０と内側ハウジング３０との間、またはキャップ１０を通過して通ることを可能にする開いた空間５０を形成する。
【００３３】
例示的な実装では、外側ハウジング２０、内側ハウジング３０、および支持構造４０は、一体形成され得る。図３Ａ〜図３Ｄは、開いた空間５０が通気孔５１を含むように、本質的にキャップ１０の上部１１から基部１２へ、および内側側壁３６の外側表面３９と外側側壁２６の内側表面２９との間に延びる本質的に直線的な突起またはリブ４１を備える例示的な実装支持構造４０を示す。しかし、支持構造４０の他の実装が本発明の実施形態の範囲内にある。支持構造４０のそのような他の例示的な実装は、得られる支持構造４０が開いた空間５０を気管に接触しないように保つ、ならびに／または開いた空間５０を周囲組織によって閉塞および／もしくは密封されないように保つことができる限り、任意の数の形状および形態をとることができる。支持構造４０の他の実装の非限定的な例は、複数の非直線的リブもしくは単一の螺旋ねじ山のようなリブ、または任意の形状の複数のスペーサを含み、それらは、側壁３６の外側表面３９と外側側壁２６の内側表面２９との間のどこに配置されてもよく、それらに接続されてもよい。そのような他の支持構造もまた、側壁３６および側壁２６の少なくとも１つと一体形成されてよい。
【００３４】
図３Ｃにさらに示されているように、本発明の例示的な実施形態によれば、剥離密封フィルム９０は、側壁３６の開いた底部のリムの表面３３によって構築され得る密封表面に取り付けられたとき開口３７を密封する。例示的な実装では、剥離密封フィルム９０は、たとえば側壁３６のリムを越えて延びないことによってなど、開いた空間５０を覆うことも遮断することもなく、その結果、外側ハウジング２０と内側ハウジング３０との間の開いた空間５０が、キャップ１０が患者の喉内の気管と完全に同心であるときそれが依然として剥離密封フィルム９０に取り付けられている場合でさえ、内側ハウジング３０周り、外側ハウジング２０と内側ハウジング３０との間、またはキャップ１０を通過して空気が通ることを可能にする。
【００３５】
コネクタ９に取り付けられたときのキャップ１０の側面図および等角側面図をそれぞれ示す図４Ａおよび図４Ｂの例に示されているように、内側ハウジング３０の空洞３８は、たとえば共に２０１７年１月１７日に出願された関連の米国特許出願第１５／４０８，２７８号明細書および米国特許出願第１５／４０８，１８７号明細書に記載されているように、無針コネクタ９の先端９１を受け取り、たとえば無針コネクタ９のハブまたは先端９１のかみ合い機構９３（ねじ山または突起など）とインターロックする、空洞３８内のねじ山機構（たとえば、図１および図２、ならびに下記により詳細に記載されている図６Ａ、図６Ｂ、および図７参照）を有することによって、無針コネクタ９の先端を空洞３８内で固定する。
【００３６】
本発明の実施形態の例示的な実装における、断面図および上面図をそれぞれ示す図５Ａおよび図５Ｂを参照すると、キャップ５００は、たとえば２０１７年４月２１日に出願された関連の米国特許仮出願第６２／４８８，２６６号明細書に記載されているロック機構を、キャップ１０の通気孔機構と共に含むことができる。たとえば、キャップ５００は、側壁５２６および上部壁５２２を含む外側ロックハウジング５２０を備え、側壁５２６は、側壁２６を本質的に囲み、上部壁５２２は、上部壁３２を本質的に覆うようになっている。安全インターフェース１００は、第１の傾斜表面７４および第１の垂直表面７６を有する１つまたは複数の歯など１つまたは複数の突起７２を備えるラチェット機構として内側ハウジング３０の上部壁３２の外側表面３４上に構成され得る第１の部分７０と、第２の傾斜表面８４および第２の垂直表面８６を有する１つまたは複数の歯など１つまたは複数の突起８２を備えるラチェット機構として外側ロックハウジング５２０の上部５２２の内側表面５２４上に構成され得る第２の部分８０とを備える。第１の垂直表面７６は、外側表面３４に対して本質的に直交することができ、第１の傾斜表面７４は、外側表面３４に対して鋭角にあることができる。一方、第２の垂直表面８６は、内側表面５２４に対して本質的に直交することができ、第２の傾斜表面８４は、内側表面５２４に対して鋭角にあることができる。
【００３７】
安全インターフェース１００は、突起７２および突起８２が十分に接触することができるように外側表面３４が内側表面５２４に十分に近づかない限り、第１の部分７０および第２の部分８０が係合しないように構成される。
【００３８】
図５Ａの例に詳細に示されている本発明の実施形態のさらなる例示的な実装によれば、外側ロックハウジング５２０を外側側壁２６に対して固定するための保持インターフェースを、たとえば以下のように実装することができる。外側側壁２６の外側表面２９は、突起（またはスカートまたはフランジ）１１０など外側ロックハウジング保持機構を含むことができ、外側ロックハウジング５２０の側壁５２６の内側表面は、凹部１２０など外側ロックハウジング保持機構を含むことができる。たとえば２０１７年４月２１日に出願された米国特許仮出願第６２／４８８，２６６号明細書の図５および図６に示されているように、突起１１０および凹部１２０は、それぞれの、突起１１０の第１の接触表面１１２および凹部１２０の第２の接触表面１２２にて係合するように構成され、その結果、外側ロックハウジング５２０は、外側側壁２６上で固定され、一方、外側側壁２６に対する外側ロックハウジング５２０の回転運動を可能にする。
【００３９】
保持インターフェースは、外側ロックハウジング５２０を、外側側壁２６および上部壁３２に対して固定し、一方、内側表面５２４に対する外側表面３４の十分な軸方向運動を可能にし、その結果、一方では、外側ロックハウジング５２０が外側側壁２６および上部壁３２に対して回転されたとき突起７２および突起８２が必ずしも互いに接触せず、他方では、突起７２および突起８２が互いに十分に接触し、外側ロックハウジング５２０の回転運動を内側ハウジング３０および外側ハウジング２０へ伝達する。
【００４０】
外側ロックハウジング５２０の上面図によって図５Ｂにさらに示されているように、上部壁５２２は、外側ロックハウジング５２０を空気が通過することを可能にする開口５５０を含む。図５Ｂは、開いた空間５０の通気孔５１（図３Ｄ参照）に本質的に対応する６つの開口を示すが、開口５５０が構造完全性およびロック機構の機能と干渉せず、キャップ５００が患者の喉内で気管と完全に同心である場合でさえ開口５５０が開いた空間５０と共に、内側側壁３６周り、外側側壁２６と内側側壁３６との間、上部壁５２２を通過して、またはキャップ５００を通過して空気が通ることを可能にする限り、任意の数および形状の開口５５０が本発明の実施形態の範囲内にある。
【００４１】
本発明の実施形態の例示的な実装によれば、図３Ａ〜図３Ｄを参照して上に記載されている安全機構を有するキャップ１０のハウジングは、共に２０１７年１月１７日に出願された出願人の同時係属米国出願の米国特許出願第１５／４０８，２７８号明細書および米国特許出願第１５／４０８，１８７号明細書に記載の様々な機構および設計を有する消毒キャップのすべてと共に、そこに開示されている消毒キャップのハウジングを図６Ａおよび図６Ｂの例示的な例に示されているように修正することによって実装され得る。
【００４２】
図６Ａを参照すると、クロスねじ山消毒キャップ３００がハウジング３０２を有し、ハウジング３０２は、閉じた上部３２２と、外側側壁表面３２０を有する本質的に円筒形の側壁３０４と、無針コネクタの先端を受け取るためのハウジング３０２内の内側空洞３２８への開口３２６を有する開いた底部３２４とを備える。ハウジング３０２の側壁３０４によって形成された底部３２４は平坦でなく、その結果、平坦な表面３１０とキャップ３００の底部３２４との間に空間３７０が存在する。内側空洞３２８は、アルコールを染み込ませた消毒スポンジ３８０を収容することができ、側壁３０４の内側側壁表面３３０上にねじ山３４０を有する。キャップ３００のねじ山３４０の直径（大径３４５および／または小径３４６）は、無針コネクタのねじ山に対応しなくてもよい。
【００４３】
図７Ｂを参照すると、本発明の例示的な実施形態によるキャップ６００は、キャップ３００の機構のすべてを含むが、ハウジング３０２の側壁３０４は、図３Ａ〜図３Ｄの例に示されているように修正されており、上部壁３２を有する内側側壁３６と、上部壁３２が本質的に露出されたままであるように側壁３６を本質的に囲む外側側壁２６と、外側側壁２６と内側側壁３６との間に開いた空間５０を形成し、キャップ６００が患者の喉内で気管と完全に同心である場合でさえ内側側壁３６周り、外側側壁２６と内側側壁３６との間、またはキャップ６００を通過して空気が通ることを可能にする支持構造４０（図３Ａおよび図３Ｂ参照）とを含む。
【００４４】
本発明の実施形態のさらなる例示的な実装によれば、本明細書に記載の通気孔機構およびたとえば２０１７年４月２１日に出願された出願人の関連の米国特許仮出願第６２／４８８，２６６号明細書に記載の任意のロック機構を含む図３Ａ〜図３Ｄ、図５Ａ、および図５Ｂを参照して上述した安全機構を有するハウジングキャップ５００は、共に２０１７年１月１７日に出願された出願人の同時係属米国出願の米国特許出願第１５／４０８，２７８号明細書および米国特許出願第１５／４０８，１８７号明細書に記載の様々な機構および設計を有する消毒キャップのすべてにおいて、そこに開示されている消毒キャップのハウジングを図７の例示的な例に示されているようにさらに修正することによって実装され得る。
【００４５】
図７を参照すると、本発明の例示的な実施形態によるキャップ７００は、図５Ａおよび図５Ｂの例に示されているようにさらに修正されたキャップ６００の機構のすべてを含み、外側ロックハウジング５２０と、上部壁３２の外側表面上に構成された第１の部分７０および上部壁５２２の内側表面上に構成された第２の部分８０を備える安全インターフェース１００と、図６Ｂを参照して上述した突起１１０および凹部１２０と協働することによって実装される外側側壁２６に対して外側ロックハウジング５２０を固定するための保持インターフェースとを含む。外側ロックハウジング５２０は、その上部壁５２２内に、外側側壁２６と内側側壁３６との間の開いた空間５０と協働し、キャップ７００が患者の喉内で気管と完全に同心である場合でさえ内側側壁３６周り、外側側壁２６と内側側壁３６との間、開口５５０を通過して、またはキャップ７００を通過して空気が通ることを可能にする開口５５０を含む。
【００４６】
本発明について、そのいくつかの例示的な実施形態を参照して示し記載されているが、当業者なら、形態および詳細の様々な変更が本発明の実施形態の精神および範囲から逸脱することなしになされ得ることを理解するであろう。たとえば、消毒スポンジは、任意の好適な消毒または他の応用例特有の物質を含むことができ、任意の好適な材料製とすることができる。また、キャップのハウジングおよび／または外側ロックハウジングは、シングルショット成形することも、他の好適なプロセスによって作製することもできる。さらに、上記の、および図面の図に示されている本発明の実施形態の任意の例示的な実装の機構または要素のいずれも、本発明の実施形態の精神および範囲から逸脱することなしに当業者によって容易に理解されるように個々に、または任意の組合せで実装され得る。
【００４７】
さらに、含まれている図面の図は、本発明のいくつかの例示的な実施形態の実装の非限定的な例についてさらに記載しており、それらに関連する技術の説明の助けとなる。上記のもの以外の図面に提供されている特定の、または相対的な寸法または測定値は例示的なものであり、本発明の関連分野における当業者によって理解されるように、本発明の設計または方法の範囲または内容を限定することは意図されていない。
【００４８】
本発明の他の目的、利点、および顕著な特徴は、当業者にとって、添付の図面の図を併せ読めば、本発明の例示的な実施形態を開示する、提供されている詳細から明らかになろう。
【図１】
2020524578.tif 000003
【図２】
2020524578.tif 000004
【図３Ａ】
2020524578.tif 000005
【図３Ｂ】
2020524578.tif 000006
【図３Ｃ】
2020524578.tif 000007
【図３Ｄ】
2020524578.tif 000008
【図４Ａ】
2020524578.tif 000009
【図４Ｂ】
2020524578.tif 000010
【図５Ａ】
2020524578.tif 000011
【図５Ｂ】
2020524578.tif 000012
【図６Ａ】
2020524578.tif 000013
【図６Ｂ】
2020524578.tif 000014
【図７】
2020524578.tif 000015
【国際調査報告】
2020524578.tif 000016
2020524578.tif 000017